(57)【要約】【課題】浴室を形成する防水床パンの配管導入のための開口において、配管の芯合わせが容易で、水密性が確保できる防水床パンを提供する。【解決手段】浴槽パン部材３に作業用開口３４が設けられ、作業用開口３４に長尺の配管６が立ち上げられ、作業用開口３４に配管挿入孔４１が設けられた配管固定部材４が固定される。配管固定部材４の上側に、配管挿入孔５１が設けられた蓋部材５で作業用開口３４が覆れている。【選択図】　　　図２
2004124512.tif 000002
【特許請求の範囲】
【請求項１】
浴室を形成する防水床パンに設けられた開口を通して、長尺の配管が立ち上げられ、前記開口に配管挿入孔が設けられた配管固定部材が固定され、前記配管固定部材の上側に配置され、配管挿入孔が設けられた蓋部材で前記開口を覆うことを特徴とする防水床パンの配管構造。
【請求項２】
配管固定部材は、開口の縁を挟み込んで固定することを特徴とする請求項１記載の防水床パンの配管構造。
【請求項３】
蓋部材に設けられた配管挿入孔が立ち上げられ、前記立ち上げられた部分にゴムパッキンが嵌められていることを特徴とする請求項１に記載の防水床パンの配管構造。
【発明の詳細な説明】
【０００１】
【発明の属する技術分野】
本発明は、防水床パンの配管構造に関する。
【０００２】
【従来の技術】
防水床パンの配管構造は、浴室の外から浴室の内へ給水・給湯用配管を通すために、図５に示すように、基礎床面との間に敷設された給水・給湯用等の配管１００が継手１０１により接続されて、防水床パン２００に穿設された配管導入口２１０から床上に立ち上げられ、浴室内の給水栓や給湯栓等に接続されるようになっている（例えば、特許文献１参照。）。
【０００３】
【特許文献１】
実開平１―５７１６２号公報（第１図）
【０００４】
また、配管導入のための開口２１０が、配管１００が導入可能な必要最小限の大きさに穿設されていて、配管導入後、各配管のみを挿入可能な配管挿入孔２２１を備えた蓋２２０によって覆われ、配管挿入孔２２１と配管１００との隙間部分が図示していないがコーキング材等によって水密にシールされるようになっている。
【０００５】
また、従来より普及しているヘッダー配管工法は、主給水管や主給湯管からヘッダーを介してたこ足状に分岐させた長尺の配管を、浴室などの各水廻り設備の水栓へ１対１でつなげる工法であって、主給水管や主給湯管から継手を介して順次枝状に分岐させた分岐管を、各水廻り設備の水栓につなげるようにした先分岐工法による配管に比べて、継手のところの接続箇所が少なくて施工不良による漏水を抑えることができ、また水廻り設備の同時使用時において流量変化が少なく、安定した給水、給湯も可能である。
【０００６】
浴室ユニットの防水床パンへの配管方法として、ヘッダー配管工法する場合にも、継手のところの接続箇所が少なくて施工不良による漏水を抑えることができる。
しかしながら、図５に示すように、継手１０１により配管を立ち上げた場合は、配管導入のための開口２１０における配管の芯合わせが簡単であるが、ヘッダー配管工法する場合は、長尺の配管を使用して、配管導入のための開口の下方付近において継手を使用しないので、配管の芯合わせが困難であるという問題がある。
【０００７】
また、図５に示したような蓋２２０の配管挿入孔２２１によって、配管の芯合わせだけならできなくはないが、長尺の配管が、開口へ立ち上げるために湾曲していたり、コイル状に巻回されて販売されており、巻き癖が付いているために、長尺の配管が、配管導入のための開口において様々な方向に向いてしまう。そのため、蓋２２０に対して、長尺の配管から応力が発生して、防水床パンと蓋２２０との水密性が確保できないという問題がある。
【０００８】
【発明が解決しようとする課題】
本発明は、このような事情に鑑みて、配管導入のための開口において、配管の芯合わせが容易で、水密性が確保できる防水床パンを提供することを目的としている。
【０００９】
【課題を解決するための手段】
このような目的を達成するために、本発明の請求項１の発明にかかる防水床パンの配管構造は、浴室を形成する防水床パンに設けられた開口を通して、長尺の配管が立ち上げられ、前記開口に配管挿入孔が設けられた配管固定部材が固定され、前記配管固定部材の上側に配置され、配管挿入孔が設けられた蓋部材で前記開口を覆うことを備える構成とした。
【００１０】
本発明の請求項２の発明にかかる防水床パンの配管構造は、配管固定部材は、開口の縁を挟み込んで固定することを備えている構成とした。
【００１１】
本発明の請求項３の発明にかかる防水床パンの配管構造は、蓋部材に設けられた配管挿入孔が立ち上げられ、前記立ち上げられた部分にゴムパッキンが嵌められていることを備えている構成とした。
【００１２】
【発明の実施の形態】
以下に、本発明の実施の形態を、図面を参照しつつ詳しく説明する。
図１〜図３は本発明にかかる防水床パンの配管構造の１つの実施の形態をあらわしている。
【００１３】
図１に示すように、この防水床パン１は、圧縮成形によって別体に成形された洗い場部となる洗い場パン部材２と、浴槽受部となるとともに、洗い場パン部材２に連接して配置される浴槽パン部材３とを備えている。
洗い場パン部材２は、図１に示すように、浴槽パン部材３との連接部に沿う長手方向中央に、排水孔２１が設けられている。
本体３１は、浴槽の下端部が嵌まり込む矩形の凹部３２を中央に備え、この凹部３２の長手方向両端から外側に延出するように設けられた延出部３３にそれぞれ作業用開口３４が穿設されている。
また、凹部３２には、床下の排水管（図示せず）に接続され、浴槽から凹部３２内に排水される排水を排水管を介して下水道等に排出する排水口３２ａが設けられている。
【００１４】
浴槽パン部材３に作業用開口３４が設けられている。作業用開口３４に長尺の配管６が立ち上げられ、作業用開口３４に配管挿入孔４１が設けられた配管固定部材４が固定される。配管固定部材４の上側に、配管挿入孔５１が設けられた蓋部材５で作業用開口３４が覆れている。
【００１５】
作業用開口３４は、図２又は図３に示すように浴槽パン部材３を敷設時に床下側から立ち上がる配管６を臨む位置に設けられていて、配管６が挿通された状態でも、配管６の周りに浴槽パン部材３の上方から作業者が少なくとも腕を差し入れることが可能な隙間８を形成するような大きさになっている。
【００１６】
配管固定部材４は、図４に示すように、配管挿入孔４１が設けられた板状部材４２と固定金具４３とを螺子４４によって貫通されている。板状部材４２は、作業用開口３４の周囲の上面に当接する端部を有し、微発泡されたポリスチレンからなり押出成形された成形品を適当な長さ（１３０ｍｍ）に切断して形成される。配管導入孔４１は、床下から立ち上げられる長尺の配管が挿入できる直径（１８ｍｍ）であり、板状部材４２のどの位置に設けられてもよいが、実施例においてはほぼ中央に設けられた。配管固定部材４の形状として、板状体以外に棒状体や網状体などの形状であってもよい。
【００１７】
固定金具４３は、板状部材４２の下方に螺子４４によって螺合されており、金属製の厚さ２ｍｍ、長さ６０ｍｍの短冊状の薄板である。両端の５ｍｍが作業用開口３４に係るように立ち上げられている。
【００１８】
配管固定部材４の作業用開口３４への固定方法は、通常以下のようにして施工されるようになっている。
作業用開口３４を通して配管６が立ち上げられ、配管固定部材４の配管挿入孔４１に配管６を挿入した後に、配管固定部材４を作業用開口３４に固定する。まず、板状部材４２の下方で、螺子４４によって緩く螺合された固定金具４３は、作業用開口３４へ固定するために、作業用開口３４へ挿入する際は、板状部材４２の長手方向と平行方向回転させることにより、作業用開口３４へ挿入することが可能になる。そして、板状部材４２を作業用開口３４の周囲の上面に当接させた後に、板状部材４２の長手方向と垂直方向、つまり、作業用開口３４の周囲に掛け渡されるような方向に、回転させる。
【００１９】
その後、板状部材４２の上面に出ている螺子４４の螺子頭をドライバーなどの工具により螺子４４を回転させて、固定金具４３を引き上げて、図３に示すように、作業用開口３４の周囲の下方に垂れ下げられた所３５に、固定金具４３の両端の立ち上げ部分４５を係合させて固定する。
【００２０】
作業用開口への配管固定部材の固定方法として、上記のように板状部材４２と固定金具４３とで作業用開口の縁を挟み込んで固定する以外に、作業用開口の縁の上面または下面に板状部材４２をビスで固定してもよいが、上面に固定するほうが、浴室の内から作業ができるので好ましい。
【００２１】
蓋部材５は、作業用開口３４に配管固定部材４が固定された後に、その上側から、蓋部材５の配管挿入孔５１に配管を挿入して、延出部３３の上面に固定して作業用開口３４を覆う。蓋部材５は、ＡＢＳ樹脂製で、幅１６０ｍｍ、長さ５００ｍｍであり、作業用開口３４（幅８５ｍｍ、長さ４９０ｍｍ）を覆うことができる。蓋部材５の下面には、ＥＰＤＭ製のゴムパッキン５２が設けられ、水密性が更に確保される。蓋部材５はビス５３によって延出部３３の上面に固定されるようになっている。蓋部材５は、合成樹脂で形成する以外に、ゴムで形成しても良い。
【００２２】
本実施例における長尺の配管６は、浴槽への追い炊き用の２本と洗い場での水栓への２本との４本であり、これに対応して、蓋部材５に４つの配管挿入孔５１が設けられている。
蓋部材５に設けられた４つの配管挿入孔５１は、それぞれの直径（３５ｍｍ）であり、配管固定部材４の配管導入孔４１の直径（１８ｍｍ）よりも大きいので、長尺の配管６からの応力が蓋部材５に加わわらないので、防水床パンと蓋部材５との水密性が確保できる。図３に示すように蓋部材５の配管挿入孔５１は、立ち上がり部５４を有しており、この立ち上がり部５４に上方に内径が縮径するゴムパッキン７が嵌められる。ゴムパッキン７の外側から締め付け金具７１によって締め付けられる。
【００２３】
ゴムパッキン７は、様々な内径を有しており、配管の外径に合わせて、ゴムパッキン７の上端部を切断して使用される。ゴムパッキン７に配管を挿入した後に、ゴムパッキン７の上端部を、口径を拡縮可能なインシュロックタイ７２によって、締め付けられる。さらに、ゴムパッキン７は、ゴム弾性体で形成されているので、配管のピッチが多少ずれても調整可能であり、また、上方に立ち上げられているので、万一、防水パンに少々の水が溜まっても水漏れする虞が無い。
【００２４】
長尺の配管としては、架橋ポリエチレン管、架橋ポリブテン管、ステンレス・スチール・コルゲイテッド・チューブ、銅管、アルミニウム管の内外面に中密度ポリエチレンや架橋ポリエチレンを被覆した金属強化ポリエチレン管などが挙げられる。
【００２５】
以上のような構造にすることにより、ヘッダー配管工法であり長尺の配管を使用して配管導入のための開口の下方付近において継手を使用しないのでも、作業用開口３４への固定された配管固定部材４によって、配管の芯合わせが可能である。継手のところの接続箇所が少なくて施工不良による漏水を抑えることができる。また、蓋部材５に対して、長尺の配管６からの応力を配管固定部材４によって受け止め、蓋部材５に対して、応力が発生しないので、蓋部材５において水密性が確保できる。
【００２６】
【発明の効果】
請求項１記載の防水床パンの配管構造は、以上のように構成されているので、ヘッダー配管工法の場合であっても、配管導入のための開口で固定された配管固定部材によって、配管の芯合わせができる。
また、長尺の配管からの応力を配管固定部材によって受け止め、蓋部材に対して、応力が発生しないので、蓋部材において水密性が確保できる。
【００２７】
特に、請求項２の防水床パンの配管構造のようにすれば、浴室の内から容易に作業ができるので好ましい。また、請求項３の防水床パンの配管構造のようにすれば、蓋部材と配管との水密性が確実であり、万一、防水パンに少々の水が溜まっても水漏れする虞が無い。
【図面の簡単な説明】
【図１】本発明にかかる防水床パンを表す分解斜視図である。
【図２】防水床パンのの配管構造の要部分解斜視図である。
【図３】防水床パンのの配管構造の施工状態の断面図である。
【図４】配管固定部材の斜視図である。
【図５】従来の防水床パンの配管構造を説明する斜視図である。
【符号の説明】
１　　防水床パン
２　　洗い場パン部材（洗い場部）
３　　浴槽パン部材（浴槽受部）
３４　開口
４　　　　配管固定部材
４１　配管挿入孔
５　　蓋部材
５１　配管挿入孔
５４　立ち上がり部
６　　配管
７　　ゴムパッキン
【図１】
2004124512.tif 000003
【図２】
2004124512.tif 000004
【図３】
2004124512.tif 000005
【図４】
2004124512.tif 000006
【図５】
2004124512.tif 000007